(57)【特許請求の範囲】
【請求項１】
扉内面の自由側端縁付近に基端を枢着され、先端が扉内面から離間したり近接したりする方向、及び扉内面に平行な平面内で回転できるように自由度２で案内された棒状の揺動杆と、扉枠の室内側において鉛直方向に延在する細長く偏平な受座と、この受座において長さ方向に沿って形成された長孔と、揺動杆の先端を受座に選択的に係合させて案内させるため、非作動角度位置と作動角度位置との間を変位させることができ、受座長孔の裏面側に選択的に係合する係合頭部を有する連結部材を揺動杆の先端に装着し、作動角度位置にある連結部材を係合頭部を介して受座に係合させることにより、扉の開度を揺動杆により制限するようにしたことを特徴とするドアガード。
【請求項２】
上記係合頭部の幅が受座の長孔を潜り抜けることができる寸法であり、その長さが受座の幅寸法より大きく設定されると共に、揺動杆と平行な位置関係で連結部材に装着され、一方、受座の長孔の幅が全長にわたって一定である請求項１記載のドアガード。
【請求項３】
上記係合頭部が受座の長孔の幅寸法より大径の円形であり、一方、長孔の係合頭部を嵌め外しする一端に他の部分より幅広の挿通孔を連設した請求項１記載のドアガード。
【請求項４】
扉内面の自由側端縁付近に基端を枢着され、先端が扉内面から離間したり近接したりする方向、及び扉内面に平行な平面内で回転できるように自由度２で案内された棒状の揺動杆と、扉枠の室内側において鉛直方向に延在する細長く偏平な受座と、この受座において長さ方向に沿って形成された長孔と、揺動杆の先端を受座に選択的に係合させて案内させるため、非作動角度位置と作動角度位置との間を変位させることができ、受座長孔の裏面側に選択的に係合する係合頭部を有する連結部材を揺動杆の先端に装着し、作動角度位置にある連結部材を係合頭部を介して受座に係合させることにより、扉の開度を揺動杆により制限するようにし、一方、揺動杆の先端付近における扉内面に、扉に装着されたシリンダ錠の内筒に連結され、扉の自由側端縁側から揺動杆に係合可能に臨む係合部材を備えた解除部材を回動自在に装着したことを特徴とするドアガード。
【請求項５】
受座における長孔の終端近くに、揺動杆を開放位置で停止させるために、連結部材の係合頭部を選択的に拘束させる停止手段を設けたことを特徴とする請求項１乃至４の何れかに記載のドアガード。
【発明の詳細な説明】
【０００１】
【発明の属する技術分野】
この発明は、扉の開放角度を小さく制限して来訪者の確認や配達物の受渡しを安全に行えるようにしたドアガードに関する。
【０００２】
【従来の技術】
手で直接操作するようにしたこの種のドアガードとしては、例えば実開昭５５−５１９５６号公報に開示されたものを挙げることができる。
【０００３】
そのドアガードは、長さ方向に沿う案内長孔及びそれに連続させた挿通孔を有する連結杆を扉の室内側に一方の取付部材を介して枢着し、前記連結杆を選択的に係合させかつ案内させるため、先端に係合頭部を有する受杆を扉枠の室内側に他方の取付部材を突設させて成る。
【０００４】
しかしながら、前記のようなドアガードにおいては、受杆が扉枠の通行路向けかなり大きく突設させてあるため、通行者が身体をぶつけたり、衣服を引掛けたりすることがあり、なお改善の余地がある。
【０００５】
【発明が解決しようとする課題】
この発明は通行の支障となる受杆を扉枠から突出させることを要しない新規なドアガードを提供することを目的とする。
【０００６】
また、室内側から作動させたドアガードを室外側から解除できるようにし、室内で事故が発生したとき救助を容易にする安全性の高い新規なドアガードを提供することを他の目的とする。
【０００７】
更にまた、新規な構成のドアガードにおいて、通気のため扉を半開放状態に保持させることを他の目的とする。
【０００８】
【課題を解決するための手段】
上記の目的の達成するため、請求項１の発明に係るドアガードは、扉内面の自由側端縁付近に基端を枢着され、先端が扉内面から離間したり近接したりする方向、及び扉内面に平行な平面内で回転できるように自由度２で案内された棒状の揺動杆と、扉枠の室内側において鉛直方向に延在する細長く偏平な受座と、この受座において長さ方向に沿って形成された長孔と、揺動杆の先端を受座に選択的に係合させて案内させるため、非作動角度位置と作動角度位置との間を変位させることができ、受座長孔の裏面側に選択的に係合する係合頭部を有する連結部材を揺動杆の先端に装着し、作動角度位置にある連結部材を係合頭部を介して受座に係合させることにより、扉の開度を揺動杆により制限するようにしたことを特徴とする。
【０００９】
また、請求項４の発明に係るドアガードは、扉内面の自由側端縁付近に基端を枢着され、先端が扉内面から離間したり近接したりする方向、及び扉内面に平行な平面内で回転できるように自由度２で案内された棒状の揺動杆と、扉枠の室内側において鉛直方向に延在する細長く偏平な受座と、この受座において長さ方向に沿って形成された長孔と、揺動杆の先端を受座に選択的に係合させて案内させるため、非作動角度位置と作動角度位置との間を変位させることができ、受座長孔の裏面側に選択的に係合する係合頭部を有する連結部材を揺動杆の先端に装着し、作動角度位置にある連結部材を係合頭部を介して受座に係合させることにより、扉の開度を揺動杆により制限するようにし、一方、揺動杆の先端付近における扉内面に、扉に装着されたシリンダ錠の内筒に連結され、扉の自由側端縁側から揺動杆に係合可能に臨む係合部材を備えた解除部材を回動自在に装着したことを特徴とする。
【００１０】
更にまた、請求項５の発明に係るドアガードは、請求項１及び請求項４の発明において、受座における長孔の終端近くに、揺動杆を開放位置で停止させるために連結部材の係合頭部を選択的に拘束させる停止手段を設けたことを特徴とする。
【００１１】
【発明の実施の態様】
以下、図面に基づいてこの発明について説明する。
図１〜図４は請求項１の発明の第１実施例を、図５及び図６は第２実施例を、図７及び図８は請求項４の発明の実施例をそれぞれ示す。
【００１２】
図１〜図４の第１実施例において、符号１０は扉、２０は扉枠、Ａは扉の開放方向をそれぞれ示す。
【００１３】
棒状をなす揺動杆１は、その基端が扉１０の室内側における正面に取り付けられる取付部材２に水平軸３で揺動可能に枢着され、扉面の近くを折り畳み収納位置として、全体は扉面に垂直な平面内で揺動できるようにしてある。
【００１４】
また、取付部材２は、軸３の一対の受け片２２、２２を含む断面コ字形の部材と、基板２３とを連結軸２１により回動自在に結合した構造である。その為、揺動杆１は扉面に平行な平面内でも回動できる。
【００１５】
これは、ドアガード作動時揺動杆１に抉りが生じないようにするためである。なお、符号９１は扉１０に取付部材２の基板２３を固定したねじである。
【００１６】
一方、揺動杆１の先端には、非作動位置（図１の鎖線で示す位置）と作動位置（図１で実線で示す位置）との間を別の水平軸４で揺動変位させることができる連結部材５が枢着されている。
【００１７】
なお、前者の水平軸３と後者の別の水平軸４とは互に直角をなすように位置させてある。また、図示例の連結部材５は２つの部片をねじ（図示しない）で結合して製作してあるが、１つの部片で作ってよい。
【００１８】
連結部材５は先端に細い軸部５２と膨出部５３とから成る係合頭部５１を有する。この係合頭部５１は後記の受座６の長孔６１に嵌まり込みその長さ方向に沿って係合案内される。
【００１９】
他方、扉枠２０の室内側における通行路に面した個所にねじ９２等で取り付けられる受座６は、前記揺動杆１を連結部材５の係合頭部５１を介して選択的に係合案内させるためのもので、垂直方向に長く偏平に作られ、その正面部には長さ方向に沿ってほぼ同じ幅の長孔６１が設けてある。
【００２０】
受座６の中央部分の横断面形はコ字状に作られ、その中空部６２には後述の位置保持手段７や停止手段８が設けられるようにしてある。
【００２１】
なお、受座６の扉枠２０に対する取付けは、面付けではなく掘込みとしてもよい。
【００２２】
前記の連結部材５は、手指で非作動位置と作動位置との間を揺動操作できるが、少くも作動位置では、重力に抗してその位置が保持できるようにするため、位置保持手段７を要する。
【００２３】
図示例の位置保持手段７は、連結部材５の先端面に埋め込まれた磁石７１と受座６内に溶接等で固定された磁性材料性の吸着板７２とから成り、作動位置における連結部材５は両者７１、７２の吸着力をもってその位置が保たれる。
【００２４】
位置保持手段７は、図示例のものに限らず、他の例としてはばねで付勢された小球を凹部に落とし込む形式のクリック手段等も採用できる（図示せず）。
【００２５】
クリック手段は連結部材５と揺動杆１との間に設ければよいことは当然のことであるが、その場合、凹部を２個所に設ければ、連結部材５は作動位置及び非作動位置のそれぞれで位置決めでき好ましい。
【００２６】
更に、この発明のドアガードにおいては、受座６内における長孔６１の終端近くに、揺動杆１を開放位置（図４の鎖線の位置）で停止させるために連結部材５の係合頭部５１を選択的に拘束させる停止手段８を設けることができる。
【００２７】
図示例の停止手段８は折り曲げた板ばねを受座６の内壁に固定したものであるが、他の停止手段として図示はしないが磁石を用いた形式のものも用いることができる。
【００２８】
請求項１の発明の第１実施例における連結部材５の膨出部５３は、小径部と長径部を有する小判形に形成してあるので、それが嵌め込まれる受座６の長孔６１はほぼ全長に亘って同じ幅に作られている。
【００２９】
この場合、揺動杆１の作動時において、扉１０を開放し始めると、膨出部５３もすぐに傾き始めるので、その長径部が長孔６１の縁部内面に衝接して、係合頭部５１は抜け出せなくなり、受座６の長孔６１に沿って案内されることになる。
【００３０】
図５及び図６に示す請求項１の発明の第２実施例では、連結部材５の係合頭部５１における膨出部５３の形状とそれに対応させてある受座６の長孔６１の形状のみが、第１実施例と異なる。
【００３１】
第２実施例においては、係合頭部５１の膨出部５３は円板状をなし、また、受座６の長孔６１は、連結部材５の係合頭部５１を嵌め外しさせるその一端部（下端部）に他の部分より幅広の挿通孔６３を有する。
【００３２】
次に、請求項１の発明の一実施例によるドアガードの作用について説明する。
図１は連結部材５を鎖線で示す非作動位置（ドアガードの不使用位置）から実線で示す作動位置（ドアガードの使用位置）に手で揺動操作した状態を示す。
【００３３】
この状態では、連結部材５は位置保持手段７により作動位置に保持されているので、ドアガードは全体として作動位置を占めていることになる。
【００３４】
したがって、ここで扉１０を図２で矢印Ａ方向に向け開放させると、揺動杆１は水平軸３の回りに揺動し、同時に連結部材５の係合頭部５１が受座６の長孔６１に沿って係合案内される。扉１０の解放角度は揺動杆１の長さ及び長孔６１の長さにより制限されることになる。
【００３５】
扉の開角度が増大すると、揺動杆１の基端は図２で上方に移動すると共に、左方にも移動する。
【００３６】
その為、揺動杆１の先端は、上方への移動に対応して水平軸３の回りを回動すると共に、左方への移動に対応して連結軸２１の回りを回動し、結局揺動杆１に抉りは生じない。
【００３７】
ドアガードの作動状態で、連結部材５の係合頭部５１が受座６の終端に至ると、図４に示すようにばね等の停止手段８で自動的に拘束され、扉１０は揺動杆を介して開放状態に保持されるので、この位置では部屋内外の通気を行うことができる。
【００３８】
停止手段８による扉１０の拘束は、扉１０のノブを閉鎖方向に強めに引けば自動的に解除される。
【００３９】
ドアガードを非作動状態に戻すには、扉１０を閉鎖させた後、連結部材５を図１で実線の位置から鎖線で示す位置に手で揺動操作すればよい。
【００４０】
しかして、この発明によるドアカードの本来の使用方法は、図１において実線で示すように、常時連結部材５を受座６に係合させ、ドアガードを作動状態においておくことである。
【００４１】
このようにドアガードを作動状態にしておけば、扉が施錠されていなくても扉を開放されることがないので、防犯上安全である。
【００４２】
しかしながら、室内に居る人が一人で、しかも急病等で倒れてしまうという事態が絶対に生じない、と言うことはできず、この場合救出は不可能ではないにしても、手間が掛かることが予想される。
【００４３】
請求項４に係る発明は、かかる事態に有効に対処できるドアガードを提案することを目的としており、室外側からシリンダ錠を介して作動状態にあるドアガードを非作動状態に戻すことができる。
【００４４】
すなわち、図７において符号１１はシリンダ錠を示し、このシリンダ錠１１は、図７及び図８に示すように、扉内面側に装着された細長い小判形のフランジ付の短筒体である取付基体１２を介して、ねじにより室内側から呼び付けられるようにして扉外面側に装着されている。
【００４５】
この取付基体１２の筒部には、小判形のフランジを有する解除部材１３が回動自在に支承されている。
【００４６】
この解除部材１３のフランジの表面には、ピン様の係合部材１４が植設されており、この係合部材１４は扉の自由側端縁側から揺動杆１に係合可能に臨んでいる。
【００４７】
また、図７に示すように、解除部材１３の内端部には付番しないスリワリ形成されており、このスリワリにシリンダ錠１１の内筒に連結されたテールピース１５が係合している。なお、図７において符号１６は止め輪を示す。
【００４８】
請求項２に係る発明は上記のように構成されているから、緊急時室外側からシリンダ錠を解錠し、シリンダ錠の内筒と一体の解除部材１３を図８において時計方向に回せば、係合部材１４が揺動杆１を反時計方向に回動駆動し、連結部材５を受け座６から引き離してドアガードを解除する。
【００４９】
なお、ドアガードの通常の作動の初期において、係合部材１４は図７で右方に移動するから、ドアガードの作動時揺動杆１と係合部材１４との干渉は生じない。
【００５０】
また、この発明のドアガードについて、揺動杆１及び受座６の取付けを図示例とは上下で逆にするように設計できることは言うまでもない。
【００５１】
【発明の効果】
以上に説明したこの発明のドアガードによれば、扉枠に固定され通行の支障となっていた受杆を排したので、通行者が身体をぶつけたり衣服を引掛けたりする恐れがなくなるという効果を奏する他、通気のために扉を開放状態に保持させることも可能にするなどの効果を奏する。
【図面の簡単な説明】
【図１】請求項１の発明によるドアガードの第１実施例における取付け状態を室内側から見て示す部分縦断正面図。
【図２】その平面図。
【図３】その扉側部材の側面図。
【図４】その受座の正面図。
【図５】請求項１の発明の第２実施例における扉側部材の側面図。
【図６】その受座の正面図。
【図７】請求項４の発明の一実施例によるドアガードの要部を扉の自由側端縁部から見て示す一部断面側面図。
【図８】請求項４の発明の一実施例によるドアガードの取付け状態を室内側から見て示す部分縦断正面図。
【符号の説明】
１０  扉
２０  扉枠
１  揺動杆
２  取付部材
３  水平軸
５  連結部材
５１  係合頭部
６  受座
６１  長孔
７  位置保持手段
８  停止手段
１１  シリンダ錠
１２  取付基体
１３  解除部材
１４  係合部材
【図１】
0003625228.tif 000002
【図２】
0003625228.tif 000003
【図３】
0003625228.tif 000004
【図４】
0003625228.tif 000005
【図５】
0003625228.tif 000006
【図６】
0003625228.tif 000007
【図７】
0003625228.tif 000008
【図８】
0003625228.tif 000009